(57)【要約】【目的】将来の動脈狭窄の程度を直感的に把握することができる動脈狭窄評価装置を提供する。【解決手段】表示器に、動脈の狭窄に関連する狭窄関連生活習慣パラメータの正常基準値を示す生活習慣基準円４２と、その狭窄関連生活習慣パラメータを変量とし、生活習慣基準円４２の中心を通り、中心側ほど、将来的に動脈狭窄の悪化を引き起こす可能性が高い場合にその狭窄関連生活習慣パラメータが示す値とされている軸４４ａ〜４４ｈと、患者の実際の前記狭窄関連生活習慣パラメータを示す点に基づいて決定される実生活習慣円４６と、を有する生活習慣グラフ４０を表示する。将来的に動脈狭窄の悪化を引き起こす可能性が高いほど実生活習慣円４６は小さく表示されるので、生活習慣基準円４２に対する実生活習慣円４６の相対的な大きさは、あたかも、現在の生活習慣によって引き起こされる将来的な動脈狭窄の程度を示す如く表示される。【選択図】                        図２
2004321512.tif 000002
【特許請求の範囲】
【請求項１】
動脈の狭窄に関連する生活習慣のパラメータとして予め設定された狭窄関連生活習慣パラメータを変量とする軸と、
該狭窄関連生活習慣パラメータの予め定められた正常基準値を示す該軸上の点を通る生活習慣基準円とを有し、
該軸が、該生活習慣基準円の中心を通り、中心側ほど、将来的に動脈狭窄の悪化を引き起こす可能性が高い場合に該狭窄関連生活習慣パラメータが示す値とされ、
さらに、患者の実際の前記狭窄関連生活習慣パラメータを示す該軸上の点に基づいて決定される環状の実生活習慣図形を有する生活習慣グラフ
を出力する出力装置を含むことを特徴とする動脈狭窄評価装置。
【請求項２】
前記出力装置に出力される前記生活習慣グラフに、複数種類の前記狭窄関連生活習慣パラメータをそれぞれ変量とする複数本の軸が出力され、
該生活習慣グラフに示される実生活習慣図形は、該複数本の軸上において患者の実際の前記狭窄関連生活習慣パラメータが示す点に基づいて決定されることを特徴とする請求項１に記載の動脈狭窄評価装置。
【請求項３】
患者から検出される生体信号に基づいて決定され、該患者の動脈の狭窄度合いに関連して変動する生体情報である狭窄関連生体情報を変量とする軸と、
該狭窄関連生体情報の予め定められた正常基準値を示す該軸上の点に基づいて決定される生体情報基準円とを有し、
該軸が、該生体情報基準円の中心を通り、中心側ほど、該狭窄関連生体情報が高い狭窄度合いを示す値とされ、
さらに、患者の実際の前記狭窄関連生体情報を示す該軸上の点に基づいて決定される環状の実生体情報図形を有する生体情報グラフ
を、前記生活習慣グラフとともに前記出力装置に出力することを特徴とする請求項１または２に記載の動脈狭窄評価装置。
【請求項４】
前記出力装置に出力される前記生体情報グラフに、複数種類の前記狭窄関連生体情報をそれぞれ変量とする複数本の軸が出力され、
該生体情報グラフに示される実生体情報図形は、該複数本の軸上において患者の実際の前記狭窄関連生体情報が示す点に基づいて決定されることを特徴とする請求項３に記載の動脈狭窄評価装置。
【発明の詳細な説明】
【０００１】
【発明の属する技術分野】
本発明は、動脈狭窄を直観的に評価することができる動脈狭窄評価装置に関するものである。
【０００２】
【従来の技術】
動脈の血管壁の内膜に粥状（或いはじゅく状）の物質が沈着する動脈硬化、すなわち動脈狭窄を評価する動脈狭窄評価装置として種々の装置が提案されている。たとえば、特許文献１に記載された下肢上肢血圧指数測定装置は、下肢における動脈狭窄を評価する装置である。上記特許文献１に記載された下肢上肢血圧指数測定装置は、狭窄関連生体情報として、足首血圧値と上腕血圧値の比である足首上腕血圧指数（Ａｎｋｌｅ／Ａｒｍ  Ｂｌｏｏｄ  Ｐｒｅｓｓｕｒｅ  ＝  ＡＢＩ）、および生体の動脈内を脈波が伝播する速度である脈波伝播速度を測定している。なお、上記狭窄関連生体情報とは、患者から検出される生体信号に基づいて決定され、患者の動脈の狭窄度合いに関連して変動する生体情報を意味する。
【０００３】
上記特許文献１の装置は、測定した足首上腕血圧値および脈波伝播速度を数値表示するとともに、動脈狭窄の診断を容易にするために、測定した足首上腕血圧値および脈波伝播速度を、それらの異常範囲が示された二次元グラフに表示している。しかし、そのように、異常範囲と測定値とが二次元グラフに示されても、どの程度動脈狭窄が進行しているかを直観的に評価することは必ずしも容易ではなく、特に、診断を受ける患者は専門的知識がないので、数値表示や二次元グラフ表示から、自身の動脈の狭窄の程度を把握することは困難であった。
【０００４】
そこで、動脈狭窄の程度を直感的に把握できるようにするために、本出願人は、狭窄関連生体情報を血管に似せた円形のグラフに表示することができる装置を提案した（特許文献２）。特許文献２の装置の表示器には、狭窄関連生体情報の基準値を示す基準円と、患者から実際に測定された狭窄関連生体情報を示す測定図形とを有する円形のグラフが表示され、基準円および測定図形は基準の状態の血管内壁断面の大きさおよび実際の血管内壁断面の大きさを相対的に表していると見ることができ、また、狭窄度合いが高くなるほど測定図形は基準円の内側において小さく表示されるようになっているので、グラフは、あたかも実際の血管内の脂肪蓄積度合いを示すような表示となっている。従って、直感的に動脈狭窄の程度を評価できる。
【０００５】
【特許文献１】
特許第３０２７７５０号公報
【特許文献２】
特開２００１−３４０３０５号公報
【０００６】
【発明が解決しようとする課題】
動脈狭窄には患者の生活習慣が大きく関係する。また、生活習慣は、現在の動脈狭窄に影響を及ぼしているだけでなく、将来の動脈狭窄の悪化または改善にも大きく関係し、生活習慣が悪い場合には将来的に動脈狭窄が生じる危険性が高い。従って、将来的にも動脈狭窄が生じないようにするため、あるいは、動脈狭窄の程度を改善するためには、生活習慣の確認または見直しが必要である。しかし、前述の特許文献２のグラフからは、現在の動脈狭窄の程度を直感的に把握することはできるが、将来的な動脈狭窄の程度を直感的に把握することはできない。
【０００７】
本発明は以上の事情を背景として為されたもので、その目的とするところは、将来の動脈狭窄の程度を直感的に把握することができる動脈狭窄評価装置を提供することにある。
【０００８】
【課題を解決するための手段】
前記目的を達成するための本発明は、動脈の狭窄に関連する生活習慣のパラメータとして予め設定された狭窄関連生活習慣パラメータを変量とする軸と、その狭窄関連生活習慣パラメータの予め定められた正常基準値を示すその軸上の点を通る生活習慣基準円とを有し、その軸が、その生活習慣基準円の中心を通り、中心側ほど、将来的に動脈狭窄の悪化を引き起こす可能性が高い場合にその狭窄関連生活習慣パラメータが示す値とされ、さらに、患者の実際の前記狭窄関連生活習慣パラメータを示すその軸上の点に基づいて決定される環状の実生活習慣図形を有する生活習慣グラフを出力する出力装置を含むことを特徴とする動脈狭窄評価装置である。
【０００９】
【発明の効果】
この発明によれば、出力装置に出力される生活習慣グラフには、狭窄関連生活習慣パラメータの正常基準値を示す生活習慣基準円と、患者の実際の狭窄関連生活習慣パラメータを示す環状の実生活習慣図形が示され、将来的に動脈狭窄の悪化を引き起こす可能性が高いほど実生活習慣図形は生活習慣基準円の内側において小さく示されるので、生活習慣基準円に対する実生活習慣図形の相対的な大きさは、あたかも、現在の生活習慣によって引き起こされる将来的な血管内の脂肪蓄積度合いを示す如くに示される。従って、直観的に将来の動脈狭窄の程度を把握することができる。
【００１０】
【発明の他の態様】
ここで、好ましくは、前記出力装置に出力される前記生活習慣グラフに、複数種類の前記狭窄関連生活習慣パラメータをそれぞれ変量とする複数本の軸が出力され、その生活習慣グラフに示される実生活習慣図形は、その複数本の軸上において患者の実際の前記狭窄関連生活習慣パラメータが示す点に基づいて決定される。このようにすれば、複数の狭窄関連生活習慣パラメータに基づいて実生活習慣図形が決定されるので、より正確に将来の動脈狭窄の程度を把握することができ、また、生活習慣基準円に対する実生活習慣図形の大きさを比較することにより、複数の狭窄関連生活習慣パラメータに基づく将来の動脈狭窄の程度の判断が一度で可能であることから、狭窄関連生活習慣パラメータが複数であっても、動脈狭窄の程度の直感的な把握を容易に行うことができる。
【００１１】
また、好ましくは、患者から検出される生体信号に基づいて決定され、その患者の動脈の狭窄度合いに関連して変動する生体情報である狭窄関連生体情報を変量とする軸と、その狭窄関連生体情報の予め定められた正常基準値を示すその軸上の点に基づいて決定される生体情報基準円とを有し、その軸が、その生体情報基準円の中心を通り、中心側ほど、その狭窄関連生体情報が高い狭窄度合いを示す値とされ、さらに、患者の実際の前記狭窄関連生体情報を示すその軸上の点に基づいて決定される環状の実生体情報図形を有する生体情報グラフを、前記生活習慣グラフとともに前記出力装置に出力する。このようにすれば、生体情報グラフは、生体情報基準円に対する実生体情報図形の大きさが、あたかも、現在の血管内における脂肪蓄積度合いを示す如くに表示されるので、直観的に現在の動脈狭窄の程度を把握することができ、この生体情報グラフと前記生活習慣グラフとを比較すれば、現在の生活習慣を続けた場合、現在の動脈狭窄の程度が、将来、どのように変化する可能性があるかを容易に把握することができる。
【００１２】
また、好ましくは、前記出力装置に出力される前記生体情報グラフに、複数種類の前記狭窄関連生体情報をそれぞれ変量とする複数本の軸が出力され、その生体情報グラフに示される実生体情報図形は、その複数本の軸上において患者の実際の前記狭窄関連生体情報が示す点に基づいて決定される。このようにすれば、複数の狭窄関連生体情報に基づいて現在の狭窄の程度を示す実生体情報図形が決定されるので、より正確に現在の動脈狭窄の程度を把握することができ、また、生体情報基準円に対する実生体情報図形の大きさを比較することにより、複数の狭窄関連生体情報に基づく現在の動脈狭窄の程度の判断が一度で可能であることから、狭窄関連生体情報が複数であっても、動脈狭窄の程度の直感的な把握を容易に行うことができる。
【００１３】
【発明の好適な実施の形態】
次に、本発明の実施例を図面に基づいて詳細に説明する。図１は本発明が適用された動脈狭窄評価装置１０の構成を説明するブロック図である。
【００１４】
図１の動脈狭窄評価装置１０は、狭窄関連生体情報測定装置１２と、記憶装置１６と、入力装置１８と、出力装置として機能する表示器２０とを備えている。
【００１５】
狭窄関連生体情報測定装置１２は、予め定められた１種または２種以上の前記狭窄関連生体情報を測定し、測定した狭窄関連生体情報を図示しないＡ／Ｄ変換器を介して電子制御装置１４へ供給する。狭窄関連生体情報としては、たとえば、血圧値ＢＰ、足首上腕血圧指数ＡＢＩ、振幅増加指数ＡＩ、脈圧ＰＰ、脈波伝播速度ＰＷＶなどがある。
【００１６】
狭窄関連生体情報測定装置１２は、血圧値ＢＰを測定するようになっている場合には、たとえば、上腕に巻き付けられるカフを備え、そのカフの圧迫圧力を最高血圧値よりも高い所定の圧力から徐速降圧させ、その徐速降圧過程で生体からカフに伝達される脈波を検出し、その脈波の振幅の変化に基づいて血圧値ＢＰを決定する。また、足首上腕血圧値ＡＢＩを測定するようになっている場合には、狭窄関連生体情報測定装置１２は、たとえば、上腕血圧値を測定するための装置および足首血圧値を測定するための装置を備え、測定した足首血圧値を上腕血圧値で割ることによって足首上腕血圧指数ＡＢＩを決定する。また、振幅増加指数ＡＩを測定するようになっている場合には、狭窄関連生体情報測定装置１２は、たとえば、生体から脈波を検出するための脈波センサを備え、検出した脈波における進行波成分のピークの大きさと反射波成分のピークの大きさとの差ΔＰを、その脈波の脈圧ＰＰで割った値の１００分率、すなわち、（ΔＰ／ＰＰ）×１００なる演算により、振幅増加指数ＡＩを決定する。また、脈波伝播速度ＰＷＶを測定するようになっている場合は、狭窄関連生体情報測定装置１２は、たとえば、生体の所定の２部位（たとえば上腕と足首など）にそれぞれ装着される２つの脈波センサを備え、その２つの脈波センサにより検出される脈波において、立ち上がり点やピークなどの所定部位が検出された時間差を算出するとともに、患者の身長から予め定められた関係を用いて算出される脈波の伝播距離を算出し、その伝播距離を上記時間差で割ることによって脈波伝播速度ＰＷＶを算出する。
【００１７】
なお、血管内に狭窄があると、その下流部位では血圧が低下することから、血圧値ＢＰは狭窄関連生体情報であり、足首上腕血圧指数ＡＢＩは、狭窄の多い部位である下肢における血圧値と比較的狭窄の少ない部位である上腕における血圧値との比であり、下肢動脈の狭窄により下肢血圧値が低下すると足首上腕血圧指数ＡＢＩも低下するので、足首上腕血圧指数ＡＢＩは狭窄関連生体情報であり、血管に狭窄があると、狭窄の上流部位では、脈波の進行波成分はその狭窄の影響を受けないが脈波の反射波成分はその狭窄の影響を受けて小さくなって、進行波成分と反射波成分との差が大きくなるので、振幅増加指数ＡＩは狭窄関連生体情報であり、狭窄があるとその下流部位では脈圧が低くなるので、脈圧ＰＰは狭窄関連生体情報であり、狭窄の下流部位では脈波伝播速度ＰＷＶが低下することから、脈波伝播速度ＰＷＶは狭窄関連生体情報である。
【００１８】
記憶装置１６は、メモリーカードや磁気ディスクなどの記憶媒体と、その記憶媒体が装着され、その記憶媒体に記憶された記憶内容を読み取る読み取り装置とからなり、記憶媒体には、他の生体情報測定装置によって測定された前記狭窄関連生体情報が記憶されるようになっており、読み取り装置によって読みとられたその狭窄関連生体情報が、電子制御装置１４へ供給される。
【００１９】
入力装置１８は、複数の入力キーを備えており、その入力キーから、表示器２０に表示される狭窄関連生活習慣パラメータに関する質問事項に従って、患者の狭窄関連生活習慣パラメータの値が入力される。表示器２０は、上記狭窄関連生活習慣パラメータに関する質問事項が表示されることに加え、前記狭窄関連生体情報測定装置１２によって測定された狭窄関連生体情報や、記憶装置１６から供給される狭窄関連生体情報を表す生体情報グラフと、上記入力装置１８から入力された狭窄関連生活習慣パラメータを表す生活習慣グラフを表示する。
【００２０】
電子制御装置１４は、ＣＰＵ２２，ＲＯＭ２４，ＲＡＭ２６，および図示しないＩ／Ｏポート等を備えた所謂マイクロコンピュータにて構成されている。ＣＰＵ２２は、ＲＯＭ２４に予め記憶されたプログラムに従ってＲＡＭ２６の一時記憶機能を利用しつつ信号処理を実行することにより、表示器２０に前記狭窄関連生活習慣パラメータに関する質問事項を表示させ、また、表示器２０に前記生体情報グラフと生活習慣グラフを表示させる。
【００２１】
上記狭窄関連生活習慣パラメータには、食生活に関するもの、睡眠に関するもの、運動に関するもの、ストレスに関するもの、疲労度に関するものなど、多数のパラメータが考えられるが、本実施例では、タバコの本数（１日当たり）、運動時間（１日当たり）、欠食回数、飲酒量（１日当たり）、生活リズム、ストレスに関するものとして胃の痛み、疲労度に関するものとして起床時の疲労感、そして睡眠時間（１日当たり）の８種類を用いる。
【００２２】
従って、表示器２０には、上記狭窄関連生活習慣パラーメータに関する質問事項として以下の質問が表示される。
「タバコを１日何本吸っていますか？」
「１日の運動時間は？」
「普段欠食をすることがありますか？（１日３食を基準にして）  １．毎日２食以上  ２．毎日１食位  ３．週に３・４日位  ４．週に１・２日位  ５．ほとんど欠食しない」
「１日にどのくらいお酒を飲みますか（清酒に換算してお答えください）」
「生活のリズムは規則正ししですか？  １．規則正しい  ２．時々不規則  ３．ほとんど不規則」
「胃が痛むことがありますか？  １．よくあるあ  ２．時々ある  ３．あまりない」
「朝から疲れていることがありますか？  １．ない  ２．時々ある  ３．よくある」
「睡眠時間（１日平均して）はどのくらいですか？」
【００２３】
図２は、表示器２０に表示される生体情報グラフ３０および生活習慣グラフ４０の一例を示す図であり、図２に示すように、本実施例では、生体情報グラフ３０と生活習慣グラフ４０とが同時に表示されている。
【００２４】
生体情報グラフ３０に示される狭窄関連生体情報は、上腕の最高血圧値ＢＰＳＹＳ、右上腕血圧値に対する左足首血圧値の比である左足首上腕血圧値ＡＢＩ（Ｌ）、振幅増加指数ＡＩ、右上腕脈波と右足首脈波とに基づいて算出される右脈波伝播速度ＰＷＶ（Ｒ）、上腕の最低血圧値ＢＰＤＩＡ、右上腕脈波と左足首脈波とに基づいて算出される左脈波伝播速度ＰＷＶ（Ｌ）、上腕の脈圧ＰＰ、および右上腕血圧値に対する右足首血圧値の比である右足首上腕血圧値ＡＢＩ（Ｒ）の８種類であり、生体情報グラフ３０は、生体情報基準円３２と、前記８種類の狭窄関連生体情報をそれぞれ変量とし、生体情報基準円３２の中心から放射状に延びる生体情報軸３４ａ〜３４ｈと、実生体情報図形である実生体情報円３６とを有している。
【００２５】
上記各生体情報軸３４ａ〜３４ｈは、中心側ほど動脈狭窄の程度が高い場合にその狭窄関連生体情報が示す値となっており、たとえば、左足首上腕血圧値ＡＢＩ（Ｌ）は動脈狭窄の程度が高いほど小さい値を示すことから、生体情報軸３４ｂは中心側ほど小さい値となっている。また、各生体情報軸３４ａ〜３４ｈ上において生体情報基準円３２と交わる点は、各狭窄関連生体情報の正常範囲の基準値となる正常基準値を示す点、すなわち、正常基準点であり、たとえば、左足首上腕血圧値ＡＢＩ（Ｌ）を変量とする生体情報軸３４ｂと生体情報基準円３２との交点は、左足首上腕血圧値ＡＢＩ（Ｌ）が１．０であることを示す点である。
【００２６】
実生体情報円３６は、患者の実際の狭窄関連生体情報、すなわち、図１の狭窄関連生体情報測定装置１２によって測定された狭窄関連生体情報や、記憶装置１６から供給された狭窄関連生体情報が各生体情報軸３４ａ〜３４ｈ上において示す点に基づいて決定される円であり、各生体情報軸３４ａ〜３４ｈ上における実際の狭窄関連生体情報を示す点と実生体情報円３６との距離の合計が最も小さくなるように決定される。
【００２７】
狭窄の程度が高くなるほど実生体情報円３６が小さくなることから、生体情報基準円３２と実生体情報円３６が示される生体情報グラフ３０は、基準の状態の血管内壁断面の大きさおよび実際の血管内壁断面の大きさを相対的に表していると考えることができる。また、実生体情報円３６は、現在の狭窄関連生体情報に基づいて決定されていることから、この生体情報グラフ３０は、現在の血管の狭窄度合いを反映している。
【００２８】
表示器２０において、上記生体情報グラフ３０に隣接して表示される生活習慣グラフ４０は、その生体情報グラフ３０と同じ大きさであり、生活習慣基準円４２、前述の８種類の狭窄関連生活習慣パラーメータ、すなわち、タバコの本数、運動時間、欠食回数、飲酒量、生活リズム、胃の痛み、起床時の疲労感、睡眠時間をそれぞれ変量とし、生活習慣基準円４２の中心から放射状に延びる生活習慣軸４４ａ〜４４ｈ、および実生活習慣図形である実生活習慣円４６を有している。
【００２９】
上記各生活習慣軸４４ａ〜４４ｈは、中心側ほど、その生活習慣に起因して将来的に動脈狭窄の悪化を引き起こす可能性が高い場合にその狭窄関連生活習慣パラメータが示す値となっている。なお、この値には、タバコの本数など、生活習慣パラメータの具体的な数値だけでなく、狭窄関連生活習慣パラメータに関する質問事項とともに示される選択肢の番号も含まれる。また、各生活習慣軸４４ａ〜４４ｈ上において生活習慣基準円４２と交わる点は、各パラメータの正常範囲内において予め定められた正常基準値を示す点、すなわち、正常基準点である。たとえば、各生活習慣軸４４ａ〜４４ｈの値は、以下に示すように設定されている。
【００３０】
タバコの本数を示す生活習慣軸４４ａは、生活習慣基準円４２の中心点における値が４０本であり正常基準点が０本とされる（なお、４０本以上は全て中心点とされる）。運動時間を示す生活習慣軸４４ｂは、生活習慣基準円４２の中心点における値が０時間とされ正常基準点が５時間とされる（なお、５時間以上は全て正常基準点とされる）。欠食回数を示す生活習慣軸４４ｃは、生活習慣基準円４２の中心点における値が前述の質問事項とともに表示器２０に表示される選択肢の「１」とされ、正常基準点がその選択肢の「５」とされる。飲酒量を示す生活習慣軸４４ｄは、生活習慣基準円４２の中心点における値が５合であり正常基準点が１合とされる（なお、５合以上は全て中心点とされ、１合以下は全て正常基準点とされる）。生活リズムを示す生活習慣軸４４ｅは、生活習慣基準円４２の中心点における値が前述の質問事項とともに表示器２０に表示される選択肢の「３」とされ、正常基準点がその選択肢の「１」とされる。ストレス（胃の痛み）を示す生活習慣軸４４ｆは、生活習慣基準円４２の中心点における値が前述の質問事項とともに表示器２０に表示される選択肢の「１」とされ、正常基準点がその選択肢の「３」とされる。疲労感を示す生活習慣軸４４ｇは、生活習慣基準円４２の中心点における値が前述の質問事項とともに表示器２０に表示される選択肢の「１」とされ、正常基準点がその選択肢の「３」とされる。睡眠時間を示す生活習慣軸４４ｈは、生活習慣基準円４２の中心点における値が４時間とされ正常基準点が８時間とされる（なお、４時間以下は全て中心点とされ、８時間以上は全て正常基準点とされる）。
【００３１】
実生活習慣円４６は、前述の狭窄関連生活習慣パラメータに関する質問事項に従って、入力装置１８から入力された患者の実際の狭窄関連生活習慣パラメータが、各生活習慣軸４４ａ〜４４ｈ上において示す点に基づいて決定される円であり、各生活習慣軸４４ａ〜４４ｈ上における実際の狭窄関連生活習慣パラメータを示す点と実生活習慣円４６との距離の合計が最も小さくなるように決定される。
【００３２】
このように、各生活習慣軸４４ａ〜４４ｈが、中心側ほどその生活習慣に起因して将来的に動脈狭窄の悪化を引き起こす可能性が高い場合にその狭窄関連生活習慣パラメータが示す値とされていると、将来的に動脈狭窄の悪化を引き起こす可能性が高いほど実生活習慣円４６は小さくなることから、生活習慣基準円４２と実生活習慣円４６が示される生活習慣グラフ４０は、基準の状態の血管内壁断面の大きさおよび将来予想される血管内壁断面の大きさを相対的に表していると考えることができる。従って、この生活習慣グラフ４０は、将来的に生じうる血管の狭窄度合いを示している。
【００３３】
上述の実施例によれば、表示器２０に表示される生活習慣グラフ４０には、狭窄関連生活習慣パラメータの正常基準値を示す生活習慣基準円４２と、患者の実際の狭窄関連生活習慣パラメータを示す実生活習慣円４６が示され、将来的に動脈狭窄の悪化を引き起こす可能性が高いほど実生活習慣円４６は生活習慣基準円４２の内側において小さく表示されるので、生活習慣基準円４２に対する実生活習慣円４６の相対的な大きさは、あたかも、現在の生活習慣によって引き起こされる将来的な血管内の脂肪蓄積度合いを示す如く表示される。従って、直観的に将来の動脈狭窄の程度を把握することができる。
【００３４】
また、上述の実施例によれば、８種類の狭窄関連生活習慣パラメータに基づいて実生活習慣円４６が決定されるので、より正確に将来の動脈狭窄の程度を把握することができ、また、生活習慣基準円４２に対する実生活習慣円４６の大きさを比較することにより、８種類の狭窄関連生活習慣パラメータに基づく将来の動脈狭窄の程度の判断が一度で可能であることから、狭窄関連生活習慣パラメータが８種類であっても、動脈狭窄の程度の直感的な把握を容易に行うことができる。
【００３５】
また、上述の実施例によれば、生体情報グラフ３０は、生体情報基準円３２に対する実生体情報円３６の大きさが、あたかも、現在の血管内における脂肪蓄積度合いを示す如くに表示されるので、直観的に現在の動脈狭窄の程度を把握することができ、この生体情報グラフ３０と生活習慣グラフ４０とを比較すれば、現在の生活習慣を続けた場合、現在の動脈狭窄の程度が、将来、どのように変化する可能性があるかを容易に把握することができる。
【００３６】
また、上述の実施例によれば、８種類の狭窄関連生体情報に基づいて現在の狭窄度の程度を示す実生体情報円３６が決定されるので、より正確に現在の動脈狭窄の程度を把握することができ、また、生体情報基準円３２に対する実生体情報円３６の大きさを比較することにより、８種類の狭窄関連生体情報に基づく現在の動脈狭窄の程度の判断が一度で可能であることから、狭窄関連生体情報が８種類であっても動脈狭窄の程度の直感的な把握を容易に行うことができる。
【００３７】
以上、本発明の一実施例を図面に基づいて説明したが、本発明は他の態様においても適用される。
【００３８】
たとえば、前述の実施例では、実生活習慣図形は円（すなわち実生活習慣円４６）であったが、実生活習慣図形の形状は円形に限られず、たとえば、各生活習慣軸４４ａ〜４４ｈ上において実際の狭窄関連生活習慣パラメータが示す点間を直線で結んで形成される多角形であってもよい。また、その直線に代えて、各生活習慣軸４４ａ〜４４ｈ上において実際の狭窄関連生活習慣パラメータが示す点間を円弧で結んで形成される図形であってもよいし、楕円形であってもよい。また、実生体情報図形の形状も円形に限られず、実生活習慣図形と同様の種々の形状の図形を用いることができる。
【００３９】
また、前述の実施例では、狭窄関連生体情報として、血圧値ＢＰ、足首上腕血圧指数ＡＢＩ、振幅増加指数ＡＩ、脈圧ＰＰ、脈波伝播速度ＰＷＶを用いていたが、脈波の先鋭度や、脈波の立ち上がり点から頂点までの時間すなわち立ち上がり頂点時間を狭窄関連生体情報として用いてもよい。この先鋭度とは、脈波の上方への尖り具合を示す値であり、一拍分の区間の脈波を積分することにより算出される脈波面積Ｓを、ピーク高さＨと脈拍周期Ｗとの積（Ｗ×Ｈ）で割ることにより算出される正規化脈波面積ＶＲ、ピークまでの前半部の面積Ｓ１あるいはピーク以降の後半部の面積Ｓ２を正規化したもの等であり、また、上記正規化脈波面積ＶＲは、％ＭＡＰとも称され、ピーク高さＨすなわち脈圧に対する脈波面積Ｓの重心位置の高さＧの割合（＝１００×Ｈ／Ｇ）としても算出できる。
【００４０】
また、前述の実施例では、狭窄関連生体情報および狭窄関連生活習慣パラメータはそれぞれ８種類であったが、１種類であってもよいし、８種類以外の複数種類であってもよい。また、狭窄関連生体情報の数と狭窄関連生活習慣パラメータの数は異なっていてもよい。
【００４１】
また、前述の実施例では、狭窄関連生体情報および狭窄関連生活習慣パラメータの種類は、ともに一組のみが予め設定されていたが、年齢、性別、病歴等によって異なる種類の狭窄関連生体情報および狭窄関連生活習慣パラメータが用いられるようになっていてもよい。また、狭窄関連生体情報の正常基準値および狭窄関連生活習慣パラメータの正常基準値も、年齢、性別、病歴等によって異なる値が用いられるようになっていてもよい。
【００４２】
また、前述の実施例では、表示器２０を出力装置として用いていたが、プリンタを出力装置として用いてもよい。
【００４３】
また、前述の実施例では、表示器２０には、生活習慣グラフ４０と生体情報グラフ３０とが表示されていたが、生活習慣グラフ４０のみが表示されるようになっていてもよい。
【００４４】
以上、本発明の実施例を図面に基づいて詳細に説明したが、これはあくまでも一実施形態であり、本発明は当業者の知識に基づいて種々の変更、改良を加えた態様で実施することができる。
【図面の簡単な説明】
【図１】本発明が適用された動脈狭窄評価装置の構成を説明するブロック図である。
【図２】図１の表示器に表示される生体情報グラフおよび生活習慣グラフの一例を示す図である。
【符号の説明】
１０：動脈狭窄評価装置
２０：表示器（出力装置）
３０：生体情報グラフ
３２：生体情報基準円
３４：生体情報軸
３６：実生体情報円（実生体情報図形）
４０：生活習慣グラフ
４２：生活習慣基準円
４４：生活習慣軸
４６：実生活習慣円（実生活習慣図形）
【図１】
2004321512.tif 000003
【図２】
2004321512.tif 000004